(57)【要約】【課題】従来は別々である「識別コード」と「真偽判定コード」を同一箇所である単独のコード内に共存させ、「真偽判定コード」は一見して存在を（偽造犯および一般ユーザーに）識別されることなく「識別コード」内に潜在した構成の新規なセキュリティ・ツールを提供する。【解決手段】照射光に対する分光反射特性がそれぞれ異なる複数種類のインキ，温度条件に応じて発色特性がそれぞれ異なる複数種類のインキの何れかを用いて構成される識別コードを有する偽造防止用印刷物であって、識別コードを印刷するインキと、識別コード内に混在させた真偽判定コードを印刷するインキの種類が異なることを特徴とする。【選択図】図１
2019188756.tif 000002
【特許請求の範囲】
【請求項１】
照射光に対する分光反射特性がそれぞれ異なる複数種類のインキを用いて構成される識別コードを有する偽造防止用印刷物であって、
識別コードを印刷するインキと、識別コード内に混在させた真偽判定コードを印刷するインキの種類が異なることを特徴とする偽造防止用印刷物。
【請求項２】
照射光に対する分光反射特性がそれぞれ異なる複数種類のインキは、可視域波長光の照射により視覚可能なインキと可視域外波長光の照射により視覚可能なインキである請求項１記載の偽造防止用印刷物。
【請求項３】
照射光に対する分光反射特性がそれぞれ異なる複数種類のインキは、同一条件の照明光の照射により視覚される色相は共通であり、反射輝度が異なるインキである請求項１記載の偽造防止用印刷物。
【請求項４】
温度条件に応じて発色特性がそれぞれ異なる複数種類のインキを用いて構成される識別コードを有する偽造防止用印刷物であって、
識別コードを印刷するインキと、識別コード内に混在させた真偽判定コードを印刷するインキの種類が異なることを特徴とする偽造防止用印刷物。
【請求項５】
識別コード内に混在させた真偽判定コードは、識別コードの読み取りに影響を及ぼさない別コードであり、偽造あるいは複写による非正規品の識別コードに対しての真偽判定手段である請求項１〜４の何れかに記載の偽造防止用印刷物。
【発明の詳細な説明】
【技術分野】
【０００１】
本発明は、セキュリティ性の向上した印刷物に関する。
【背景技術】
【０００２】
模倣品や横流し品の流通は世界的に拡大しており、その被害額は増加の一途を辿っている。模倣品や横流し品が流通し続けることで、真正品（正規品）の売り上げ減少やブランド価値の低下を招く恐れがある。
【０００３】
真正品（正規品）と偽造品の真贋判定手段を付与する対策として、「ホログラム」「ＩＣタグ」「セキュリティマーク（印刷）」などを活用した各種の認証手段（以下、セキュリティマークを「真偽判定コード」と称する）がこれまでに提案〜実行されている。
【０００４】
認証手段自体が偽造される事態も生じるに到っており、真偽判定コードによる手法では、その存在を（悪意で偽造を図る者（以下、偽造犯と称する）に）類推させないための対策も提案されており、「目視では識別不可能な特殊インキを使用する」などにより、真偽判定コードを隠蔽する取組みも行なわれている。
【０００５】
また、高度な画像処理により物体表面のパターンを識別する一意識別技術も確立されており、意図的に製品表面に認証手段を付与するのではなく、製造工程で生成された意図的に再現することが難しい物体固有のランダムパターンを持った画像全体を高精度で領域識別する技術も応用されている。（特許文献１，非特許文献１参照）
特許文献１，２の手法では、製品自身が持つランダムパターンを物体固有のＩＤとして活用できるため、認証手段の存在を偽造犯に類推されることが一層困難である。
【先行技術文献】
【特許文献】
【０００６】
【特許文献１】特開２００８−１０２６７６号公報
【非特許文献】
【０００７】
【非特許文献１】画像認識サービスＧＡＺＩＲＵ（登録商標），インターネット＜URL：http://jpn.nec.com/solution/cloud/gazou/＞  一方、バーコード，ＱＲコード（登録商標），ＪＡＮコード，DataMatrixコードなどの「識別コード」が、ＰＯＳシステム，部品・製品管理（品番，シリアル番号，ロットほか），トレーサビリティ管理などの多様な目的で採用されている。これらの識別コードはその性質上、コードの形成箇所が利用者に明確に把握されると共に、情報読み取り（検出）〜認識（判定）が、迅速・簡便に行なわれる必要がある。
【発明の概要】
【発明が解決しようとする課題】
【０００８】
本発明の目的は、従来は別々である「識別コード」と「真偽判定コード」を同一箇所である単独のコード内に共存させ、「真偽判定コード」は一見して存在を（偽造犯および一般ユーザーに）識別されることなく「識別コード」内に潜在した構成の新規なセキュリティ・ツールを提供することにある。
【課題を解決するための手段】
【０００９】
本発明による偽造防止用印刷物は、照射光に対する分光反射特性がそれぞれ異なる複数種類のインキ，温度条件に応じて発色特性がそれぞれ異なる複数種類のインキの何れかを
用いて構成される識別コードを有する偽造防止用印刷物であって、
識別コードを印刷するインキと、識別コード内に混在させた真偽判定コードを印刷するインキの種類が異なることを特徴とする。
【００１０】
照射光に対する分光反射特性がそれぞれ異なる複数種類のインキとしては、以下の組み合わせが例示される。
（１）可視域波長光の照射により視覚可能なインキと、可視域外波長光の照射により視覚
可能なインキである場合。
（２）同一条件の照明光の照射により視覚される色相は共通であるが、反射輝度が異なる
インキである場合。
【００１１】
識別コード内に混在させた真偽判定コードは、物体固有のＩＤとして利用可能な「特徴点データ」を構成することもあるが、主として真偽判定コードは識別コードの読み取りに影響を及ぼさない別コードであり、偽造あるいは複写による非正規品の識別コードに対しての真偽判定手段となる。本発明においては、真偽判定コードは識別コードの様な機器による情報読み取りを前提とした認証コードの形態である必要はなく、絵柄やパターンなど目視による認識が可能な形態でも良い。
【発明の効果】
【００１２】
本発明による効果として、以下が挙げられる。
（１）真偽判定コードが識別コード内に隠蔽されており、双方のコードを別々に形成する設置スペースを要さないため、本願発明の構成を認識していない者にとっては、真偽判定コードの存在を類推することが困難である。
（２）真偽判定コードの存在を推測して、識別コード全体のコピー（複写）を行なっても、複写光源に反応するタイプのインキでないと、真偽判定コードの情報を入手することが出来ない。また、複写光源に反応するタイプのインキである場合、複写物（＝非正規品）であるメッセージ表示がされることにより、偽造行為が明らかになる。
（３）製品全体を局所領域に分割して、製造工程（あるいは、印刷工程）で意図せず生成されたランダムパターンを「特徴点」として抽出した上で、僅かな個体差を基準データとの照合により判別するのではなく、意図的に潜在させておき、予め形成箇所が把握される（肉眼では不可視な）真偽判定コードを照合するため、検証プロセスは簡便である。
（４）識別コードと真偽判定コードを形成するインキの特性が異なるため、認証あるいは検証プロセスではそれぞれの情報読み取りの際、他方にノイズとして影響することがなく、検証精度は向上する。
【図面の簡単な説明】
【００１３】
【図１】偽造防止用印刷物に形成する識別コードと真偽判定コードの一例を示す説明図。
【図２】照射光の波長に応じた異なる分光反射特性を示す特殊インキの一例を示す説明図。
【図３】偽造防止用印刷物に形成する識別コードと真偽判定コードの他例を示す説明図。
【発明を実施するための形態】
【００１４】
以下、本発明の実施形態について説明するが、本発明は以下の説明・図示によって限定されるものではない。
【００１５】
＜偽造防止用印刷物＞
識別コードとしてＱＲコード（登録商標）を採用した実施形態について説明する。
【００１６】
尚、以降の説明においては、識別コードを印刷する「通常の」インキに対して、真偽判定コードを形成する各種のインキを包括して「特殊インキ」と称する。
【００１７】
図１（ａ）は、偽造防止用印刷物１０に形成する識別コード１１の一例である。一般に、反射率が高い下地色と対照的な低い反射率を持つ黒色などの暗色インクにてコードを印字し、コードリーダからの照射光によるスキャンにて記録情報が読み取られる。図１（ａ）では、特殊インキにより形成した真偽判定コードが、特殊インキが機能発揮していないため、認識できない状態にある。
【００１８】
図１（ｂ）は、識別コード内に混在させた真偽判定コード（特徴点データ）１２が、特殊インキの機能発揮に応じて浮かび上がり、認識可能となった状態の一例を示す。
【００１９】
例示される真偽判定コードは、識別コード上で分散されて配置される「ドットパターン」である。マトリクス上に配置されてなるドット配列に応じた情報コードを表すタイプであるが、特徴点からなる真偽判定コードは非マトリクスな他タイプで情報量の少ないもの（例えば、真＝○，偽＝×のみ）であっても良い。
【００２０】
図１（ｂ）では、識別コード上に真偽判定コードが浮かび上がり、双方のコードが同時に目視できるかの様に図示されているが、識別コードと真偽判定コードが互いに邪魔し合わずに双方の情報読み取り（識別）が独立して可能である必要がある。
【００２１】
特殊インキの種類が、例えば、コードリーダや撮像解析装置などの検証機器からの照射光の「波長」に対しての分光反射特性，反射輝度，発光特性などの相違が利用されている場合、検証機器にて検出される情報は、図１（ａ）に示される識別コード，図１（ｃ）に示される真偽判定コードは分離して検出可能である必要がある。
【００２２】
照射光の「波長」に対しての特性が異なる各種インキと使用例を以下に説明する。
【００２３】
＜実施形態１＞
通常インキとして、カーボンブラック顔料を主成分とした墨インキを用い、特殊インキとして、視感度の低い部分にて通常使用されているプロセスインキの黄・藍・紅の単独色もしくは混合色と異なる分光波形を有し、墨インキと組み合わせて印刷することにより、太陽光，蛍光灯，白熱電灯などの自然光の下では、同一色に見えるが、所定の分光エネルギー分布を有する光源下では異なる色相，明度，彩度で視認される性質を示す特殊インキである。具体的には、特開昭５４−１２０００９号公報，特開昭５４−１２７７０９号公報，特開昭５４−１５９０００４号公報および特開昭５５−５１０号公報に記載されているものである。色料としてはＴｉ−Ｎｉ−Ｃｏ−Ｌｉ系グリーン，Ｃｏ−Ａｌ−Ｃｒ系グリーン，Ｃｏ−Ａｌ系ブルー，Ｔｉ−Ｃｏ−Ａｌ−Ｌｉ系ブルー等を用いることができる。
【００２４】
情報読み取りにあたっては、所定の分光エネルギー分布を有する照明光源を搭載した検証機器が用いられ、特殊インキにて識別コード内に潜在させた真偽判定コードのみを選択的に視認あるいは検出することができる。照明光源としては、白色光源に上記の該当する色料における高い分光反射率を有する視感度の低い波長域のみを透過する性質のフィルタ（または視感度の高い波長域を遮断するフィルタ）を適用することにより得られる。照射波長は任意に選択することができる。なお、上記視感度の低い波長域は、可視光領域と赤外光領域との境界または可視光領域と紫外光領域との境界の波長域で、具体的には４００〜４５０ｎｍ，６５０〜７００ｎｍ付近の波長域であり、また上記視感度の高い波長域は、４５０〜６５０ｎｍの範囲の波長域である。
【００２５】
＜実施形態２＞
自然光の下では目視では認識しにくい色の特殊インキであり、無機もしくは有機蛍光体を含む蛍光インキである。インキ中に混入した蛍光体が紫外線の照射により蛍光発色し、印刷インキの色調が変化する特性がある。ビヒクル樹脂中に無機蛍光体を含有させる場合
は、屈折率がビヒクル樹脂と同一または近似するもので、無色透明あるいは白色が好ましい。具体的には、特開昭５４−１３７９９号公報，特開昭５４−１３７９８号公報に記載されている材料を用いることができる。
【００２６】
無機蛍光体に用いられる材料は、紫外線発光蛍光体または赤外線発光蛍光体があり、印刷インキ中に添加混合される。
【００２７】
紫外線発光蛍光体は紫外線により励起され、それよりも低いエネルギー準位に戻るときに発するスペクトルのピークが青，緑，赤等の波長域にあるもので、例えばＣａ２Ｂ５Ｏ９Ｃｌ：Ｅｕ２＋，ＣａＷＯ４，ＺｎＯ：Ｚｎ２ＳｉＯ４Ｍｎ，Ｙ２Ｏ２Ｓ：Ｅｕ，ＺｎＳ：Ａｇ、ＹＶＯ４：Ｅｕ，Ｙ２Ｏ３：Ｅｕ，Ｇｄ２Ｏ２Ｓ：Ｔｂ，Ｌａ２Ｏ２Ｓ：Ｔｂ，Ｙ３Ａｌ５Ｏ１２：Ｃｅ等があり、単体又はこれらから数種を選択し混合して使用する。その蛍光スペクトルはピークを青，赤，緑の可視波長域以外に持つものである。インキ中の紫外線発光蛍光体の添加量は、検出機器の受光素子の蛍光の検知が可能となる程度に含有させる。
【００２８】
赤外線発光蛍光体は波長λ1の励起光を受けて、波長λ2の可視光を発光する特性を示す。
【００２９】
λ1＝λ２かつλ１＞λ２なる性質を有するものとして、例えば、ＹＦ３：Ｙｂ，Ｅｒ，ＺｎＳ：ＣｕＣｏ等がある。
【００３０】
λ１≠λ２かつλ１＞λ２なる性質を有するものとして、例えば、ＬｉＮｄ0.9Ｙｂ0.1Ｐ４Ｏ１２，ＬｉＢｉ0.2Ｎｄ0.7Ｙｂ0.1Ｐ４Ｏ１２，Ｎｄ0.9Ｙｂ0.1Ｎｄ５（ＭｏＯ４）4，ＮａＮｄ0.9Ｙｂ0.1Ｐ４Ｏ１２，Ｎｄ0.8Ｙｂ0.2Ｎａ0.5（ＷＯ４）４，Ｎｄ0.8Ｙｂ0.2Ｎａ５（Ｍｏ0.5ＷＯ0.5）４，Ｃｅ0.05Ｇｄ0.05Ｎｄ0.75Ｙｂ0.25Ｎａ５（Ｗ0.7Ｍｏ0.3Ｏ４）４ ，Ｎｄ0.9Ｙｂ0.1Ａｌ３（ＢＯ３）４，Ｎｄ0.9Ｙｂ0.1Ａｌ2.7Ｃｒ0.3（ＢＯ３）４，Ｎｄ0.6Ｙｂ0.4Ｐ５Ｏ14，Ｎｄ0.8Ｙｂ0.2Ｋ３（ＰＯ４）２等があり、いずれも励起光（λ1）８００ｎｍの赤外線を受けて９８０ｎｍ〜１０２０ｎｍに発光スペクトルの顕のピークを有する赤外線（λ２）を発光するものである。インキ中の赤外線発光蛍光体の添加量は、検出機器の受光素子の蛍光の検知が可能となる程度に含有させる。
【００３１】
情報読み取りにあたっては、紫外線または赤外線の照明光源（および受光部）を搭載した検証機器が用いられ、通常インキにより印字された識別コード内に潜在させた真偽判定コードのみを、紫外線または赤外線の照射時に、選択的に視認（発光）あるいは検出することができる。
【００３２】
＜実施形態３＞
特殊インキとしては、特開２０１０−３１１０６号公報（特許第５４７７５２６号）に開示された技術等を適用することもできる。インキは、少なくとも３つの異なる波長域において異なる反射特性を有する。インキは、図２に示すように、波長の短い順に、第１の波長領域（たとえば光の反射率が１０％以下の波長領域）Ａ１と、第２の波長領域（たとえば光の反射率が４３〜７３％の波長領域）Ａ２と、第３の波長領域（たとえば光の反射率が１３〜４３％の波長領域）とを有するものが好適である。ここで、第３の波長領域の反射率は、第２の波長領域の反射率より３０〜７０％の範囲にあることが好適である。特開２０１０−３１１０６号公報に開示された技術によれば、近赤外領域または赤外領域にこのような波長領域を作ることができる。第１の波長領域Ａ１から第３の波長領域Ａ３は連続していても、連続していなくても良い。
【００３３】
情報読み取りにあたっては、３種類の波長域の照射光源を具備する検証機器が用いられ、第１の発光部は第１の波長領域Ａ１にある波長の光を発光するものとし、第２の発光部は第２の波長領域Ａ２にある波長の光を発光するものとし、第３の発光部は、第３の波長領域Ａ３にある波長の光を発光するものを採用することができる。
【００３４】
＜実施形態４＞
インキ組成（照射光の波長に応じた分光反射特性，色相）は共通であっても、反射特性の相違による使い分けも考えられる。
【００３５】
例えば、同一組成のインキに球状の透明ビーズを分散混合することにより、インキ層からの反射光に再帰性を付与したインキを特殊インキとして採用することで、正反射成分が多く再帰反射成分の少ない通常インキ（識別コード）からの反射光と、再帰反射成分の多い特殊インキ（真偽判定コード）からの反射光とを、反射光強度のフィルタリングにより別コードの情報として識別して読み取ることも可能である。
【００３６】
＜実施形態５＞
また、本発明では、照射光の波長に応じた異なる特性を発揮するインキだけでなく、温度条件に応じて発色特性が異なる複数種類の特殊インキも採用し得る。
【００３７】
例えば、特殊インキで印字された真偽判定コード上に識別コードの厚盛印刷をすることで下地印刷を隠蔽しておき、通常時には識別コードだけが視覚されるが、印刷面を加温することで下地印刷が現れてくるなどの視覚効果を付与することも可能である。識別コードの検証，真偽判定コードの検証は、常温または加温状態のそれぞれ別状態で目視あるいは検証機器による読み取りを行なうこととなる。
【００３８】
上記インキとして、「示温塗料」と称するものがあり、特定の温度以上になると変色し，冷却後もその色を保つ特性を持つ「不可逆性示温塗料」と、一旦変色しても特定の温度以下になると再びもとの色に戻る特性を持つ「可逆性示温塗料」とが存在する。
【００３９】
不可逆性示温塗料では、顔料として用いられるコバルト，ニッケル，銅，その他の化合物が熱分解その他によって組成が変ることを利用しており、可逆性示温塗料では、化合物の結晶系の転移やその他の物理的変化を利用するもので組成変化はない。ヨウ化水銀（II）酸塩その他が用いられる。前者で４５０℃，後者で２００℃程度までの耐久性があり、適用可能とされている。
【００４０】
本実施形態においては、対象製品の真偽判定性を向上するのみならず、製造から店頭や最終消費者に到るまでの流通，保管状態が適切であったかのデリバリー体制の確認でのトレーサビリティ管理での応用も可能である。
【００４１】
例えば、過剰な高温あるいは低温の状態下での品質低下を招く可能性があった場合、変色した示温塗料による判定コードパターンの現出の有無（程度）を確認する目的でのコード混在である。
【００４２】
以上説明した各種実施形態のインキを用いて、識別コード中に真偽判定コードを混在（潜在）してなる偽造防止用印刷物（あるいは、それを適用してなる物品）について、偽造犯が前記印刷物の偽造または複写を試みても、真偽判定コードも含めた忠実な再現は不可能である。
【００４３】
図３（ａ）はインキＡによる識別コード１１（バーコード），図３（ｂ）はインキＢによる真偽判定コード１２（バーコード）であり、図３（ｃ）が双方を同一箇所に混在（真偽判定コードを識別コード内に潜在）させた偽造防止用印刷物１０の構成である。説明の便宜上、真偽判定コード１２は淡い色相で図示してあるが、インキの種類によっては、真偽判定コード１２は視覚できず、通常インキのみを検出する照射光では、検証機器による検出，複写器でのコピーも行なわれない。特殊インキのみが機能発揮する条件（照射光線など）が予め把握されていないと、真偽判定コード１２を検出〜識別されず、図３（ｃ）
の正規品１０は再現されない。
【００４４】
また、特殊な検証機器を持たないユーザーが真偽判定を試みたい要望に対しては、特殊インキによる真偽判定コードが発現した状態での撮像データを準備出来れば、スマートフォンの専用アプリで商品バーコード（ＱＲコード（登録商標））を撮影〜送信すると、真偽判定コード（特徴点情報）をクラウドデータベースに保管された基準データと照合することで、真偽判定が可能となる。
【符号の説明】
【００４５】
１０  偽造防止用印刷物
１１  識別コード
１２  真偽判定コード
【図１】
2019188756.tif 000003
【図２】
2019188756.tif 000004
【図３】
2019188756.tif 000005